(57)【要約】【課題】天板の支持強度を確保しつつ、構造を簡略化すると共に、部材の共通化することができる天板昇降式什器を提供すること。【解決手段】本発明に係る天板昇降式什器は、前記天板の下面を支持する矩形の支持枠体と、前記支持枠体を介して前記天板を支持し、前記支持枠体の平面視で長手方向に沿って複数配置され、上下方向に伸縮自在な複数の支持脚体と、前記複数の支持脚体の伸縮を制御するコントローラと、を有する天板昇降式什器であって、前記支持枠体は、平面視で前記長手方向に直交する短手方向に互いに離間し、前記長手方向に沿って並置された一対の横杆と、前記一対の横杆を前記短手方向に架設し、前記長手方向に沿って相互に離間して配列された複数の連結部材と、を備え、前記連結部材には、前記コントローラを収容する収容部が設けられている、ことを特徴とする天板昇降式什器である。【選択図】図１
2020069346.tif 000002
【特許請求の範囲】
【請求項１】
平板状の天板と、前記天板の下面を支持する矩形の支持枠体と、前記支持枠体を介して前記天板を支持し、前記支持枠体の平面視で長手方向に沿って複数配置され、上下方向に伸縮自在な複数の支持脚体と、前記複数の支持脚体の伸縮を制御するコントローラと、を有する天板昇降式什器であって、
前記支持枠体は、平面視で前記長手方向に直交する短手方向に互いに離間し、前記長手方向に沿って並置された一対の横杆と、
前記一対の横杆を前記短手方向に架設し、前記長手方向に沿って相互に離間して配列された複数の連結部材と、を備え、
前記連結部材には、前記コントローラを収容する収容部が設けられている、ことを特徴とする天板昇降式什器。
【請求項２】
前記連結部材に固定され、下面が開口するように形成された複数の脚支持部材と、
上部が前記脚支持部材の前記開口に挿入されて前記脚支持部材に固定され、下部が前記支持脚体の上部に固定されている複数の脚固定部材と、を更に備える、
請求項１に記載の天板昇降式什器。
【請求項３】
前記複数の支持脚体のうち、少なくとも前記長手方向の両側に配置された一対の前記支持脚体のそれぞれには、前記短手方向に離間して配置された一対の昇降脚が設けられていることを特徴とする、
請求項２に記載の天板昇降式什器。
【請求項４】
前記脚支持部材は、前記昇降脚の上部に取り付けられ、
一対の前記脚支持部材は、対向して前記短手方向に離間して配置されると共に、一対の前記連結部材に前記長手方向に沿って架設されており、
前記収容部は、上面が開口するように形成され、前記一対の脚支持部材の間に設けられている、
請求項３に記載の天板昇降式什器。
【発明の詳細な説明】
【技術分野】
【０００１】
本発明は、利用者が天板の上下方向の高さを任意に変更可能とする天板昇降式什器に関する。
【背景技術】
【０００２】
オフィスや公共施設等の執務空間においては、執務者に作業エリアを提供するためにデスク装置が配設されているのが一般的である。しかし、執務者が作業がし易いと感じるデスク装置の天板の高さは、執務者の体格や性別、嗜好等によって個々に大きく異なっている。
【０００３】
そこで、天板高さが一定であるデスク装置ではなく、天板を支持する脚体の上下寸法を調整して天板高さを変更可能とした天板昇降式什器が使用されている。このような天板昇降式什器を用いることによって、執務者の要望に応じた天板高さの作業エリアを提供することが出来、作業効率を向上すると共に、執務者の体への負荷を低減することが出来る。
【先行技術文献】
【特許文献】
【０００４】
【特許文献１】特許第３３７１９５９号公報
【特許文献２】特許第３３９１２８５号公報
【特許文献３】実用新案登録第３１６４７３９号公報
【特許文献４】特開２０１４−１１３５０５号公報
【特許文献５】特許第５７１８５０３号公報
【特許文献６】特開２０１８−０００７４９号公報
【特許文献７】特開２０１８−０２７２０６号公報
【発明の概要】
【発明が解決しようとする課題】
【０００５】
天板高さを上下に変更するための手段としては、ガススプリングを用いる方法、ギアを用いる方法等が提案されている（例えば、特許文献１、特許文献２参照）。これらの方法によれば、比較的簡易的な構造とし、コストを安く抑えることが出来る。しかしながら、これらの方法によれば、力の弱い執務者では天板の高さを調整するための操作がし難い場合があり、天板の高さを調整する際の操作姿勢が悪くなることによる影響を受けやすいという課題がある。
【０００６】
こうした問題に鑑み、執務者の操作性を改善にするために、電動式駆動ユニットを用いて天板の高さを調整する方法が提案されている（例えば、特許文献３、特許文献４、特許文献５参照）。この方法によれば、執務者は、容易な操作により天板高さを変更することができる。これらの天板昇降式什器においては、左右に離間して立設された上下方向に伸縮可能な一対の昇降脚と、昇降脚同士を連結する上部連結体と、昇降脚によって支持される天板と、昇降脚に接続される配線や昇降脚の伸縮を制御するコントローラ等を載置可能な収容部とを有して構成されるのが一般的となっている。
【０００７】
こうした天板昇降式什器としては、天板を大きく構成することによってミーティング等に使用可能としたい場合がある。こうした大きな天板を支持脚体で安定的に支持するために、天板下面に剛性部材で構成された支持構造体を配設し、支持構造体を支持脚体で支持する構成が提案されている。（例えば、特許文献６、特許文献７参照）これらの構造によれば、天板を安定的に支持することが出来る。しかし、枠体を構成する部材を専用部材として設計する必要があり、構造が複雑化すると共に、加工工数および加工費用が増加するという課題がある。
【０００８】
そこで、本発明は、上記事情に鑑みてなされたものであり、天板の支持強度を確保しつつ、構造を簡略化すると共に、部材の共通化することができる天板昇降式什器を提供することを目的とする。
【課題を解決するための手段】
【０００９】
上記目的を達成するため、本発明に係る天板昇降式什器は、前記天板の下面を支持する矩形の支持枠体と、前記支持枠体を介して前記天板を支持し、前記支持枠体の平面視で長手方向に沿って複数配置され、上下方向に伸縮自在な複数の支持脚体と、前記複数の支持脚体の伸縮を制御するコントローラと、を有する天板昇降式什器であって、前記支持枠体は、平面視で前記長手方向に直交する短手方向に互いに離間し、前記長手方向に沿って並置された一対の横杆と、前記一対の横杆を前記短手方向に架設し、前記長手方向に沿って相互に離間して配列された複数の連結部材と、を備え、前記連結部材には、前記コントローラを収容する収容部が設けられている、ことを特徴とする。
【００１０】
本発明に係る天板昇降式什器は、支持枠体が、互いに短手方向に離間して配置され、長手方向に沿った一対の横連結部材と、互いに短手方向に離間して配置され、間に生じた空間にコントローラ収容部が設けられた複数の縦連結部材と、によって構成されており、縦連結部材が横連結杆材の対向面間に架設されているので、天板の支持強度を確保しながら構造の簡易化を図ると共に、部材の共通化を図ることができる。
【００１１】
上記天板昇降式什器は、前記連結部材に固定され、下面が開口するように形成された複数の脚支持部材と、上部が前記脚支持部材の前記開口に挿入されて前記脚支持部材に固定され、下部が前記支持脚体の上部に固定されている複数の脚固定部材と、を更に備えるように構成されていてもよい。
【００１２】
このような天板昇降式什器によれば、連結部材の間に形成された空間に、支持脚体の上部に設けられた脚固定部材が挿入されて連結部材を架設して固定されているため、支持脚体と連結部材とをより強固に連結することが出来る。
【００１３】
上記天板昇降式什器は、前記複数の支持脚体のうち、少なくとも前記長手方向の両側に配置された一対の前記支持脚体のそれぞれには、前記短手方向に離間して配置された一対の昇降脚が設けられているように構成されていてもよい。
【００１４】
このような天板昇降式什器によれば、左右に設けられた支持脚体が、短手方向に離間して配置された一対の昇降脚体によって構成されているので、より大きな天板を支持することが出来ると共に、天板上への積載荷重を大きく設定することが出来る。
【００１５】
上記天板昇降式什器は、前記脚支持部材は、前記昇降脚の上部に取り付けられ、一対の前記脚支持部材は、対向して前記短手方向に離間して配置されると共に、一対の前記連結部材に前記長手方向に沿って架設されており、前記収容部は、上面が開口するように形成され、前記一対の脚支持部材の間に設けられているように構成されていてもよい。
【００１６】
このような天板昇降式什器によれば、複数の連結部材の間に形成された空間内にコントローラを収容する収納部が設けられていることにより、支持脚体とコントローラとを結ぶ配線及びコントローラをこの空間内に収めることができると共に、連結部材、支持脚体、およびコントローラを一つのユニットとして美観性を向上させることが出来る。
【発明の効果】
【００１７】
本発明に係る天板昇降式什器によれば、構造を簡略化すると共に、部材の共通化することができる。
【図面の簡単な説明】
【００１８】
【図１】本発明の実施形態に係る天板昇降式什器の構成を示す斜視図である。
【図２】天板昇降式什器の下面側から見た構成を示す斜視図である。
【図３】天板を支持する支持構造体の構成を示す平面図である。
【図４】脚部の取り付け部分の構成を示す分解斜視図である。
【図５】昇降脚の構成を示す分解斜視図である。
【図６】天板昇降式什器の変形例の構成を示す斜視図である。
【発明を実施するための形態】
【００１９】
以下、図面を参照しつつ、本発明の実施形態に係る天板昇降式什器の実施形態について説明する。以下の説明において、天板昇降式什器を利用者から見た前後方向（図１の紙面右下から紙面左上を向く方向）を、天板昇降式什器の前後方向と称する。天板昇降式什器を利用者から見た左右方向を、天板昇降式什器の左右方向と称する。利用者から見た上下方向を、天板昇降式什器の上下方向と称する。
【００２０】
図１から図３に示されるように、天板昇降式什器１は、電動で天板の高さを調整可能なテーブルである。天板昇降式什器１は、矩形の平板状の天板２と、天板２を支持する支持構造体２００と、支持構造体２００（支持枠体）を床面から支持する左右方向に離間して配置された一対の脚体（支持脚体）３００とを備える。
【００２１】
支持構造体２００は、天板２を支持すると共に補強するための部材である。支持構造体２００は、例えば、平面視で矩形に組まれた枠体である。支持構造体２００の上面側には、天板２が載置される。支持構造体２００の下面側において左右側に、一対の脚体３００が設けられる。支持構造体２００は、天板２を支持する一対の棒状の上部連結杆２１０（横杆）と、一対の上部連結杆２１０同士を連結する棒状の複数の上部連結体２５０（連結部材）とを備える。支持構造体２００は、例えば、平面視して長手の一対の上部連結杆２１０と、短手の複数の上部連結体２５０とが矩形に組まれて形成されている。支持構造体２００の左右側では、一対の上部連結体２５０により脚支持枠Ｂが形成されている。脚支持枠Ｂには、脚体３００が取り付けられる。
【００２２】
即ち、脚体３００は、支持構造体２００の平面視で長手方向に沿って設けられ、上下方向に伸縮自在に構成されている。脚体３００は、前後方向に離間して配置された一対の昇降脚３０１と、昇降脚の下端部同士を連結するベース脚体３０５（下部連結脚体）と、を有している。
【００２３】
一対の上部連結杆２１０は、平面視で支持構造体２００の短手方向に離間し、対向して並置されている。一対の上部連結杆２１０は、それぞれ支持構造体２００の長手方向に沿って平行に配置されている。上部連結杆２１０は、例えば、断面が矩形に形成された中空の角パイプである。一対の上部連結杆２１０は、同じ部材が用いられる。上部連結杆２１０は、矩形の断面の長辺が鉛直方向に沿うように配置される。即ち、一対の上部連結杆２１０は、天板２の主梁である。
【００２４】
上部連結杆２１０の両端２１０Ｅには、それぞれエンド部材Ｅが嵌め込まれる。エンド部材Ｅは、例えば、樹脂材料で射出成型により形成されている。エンド部材Ｅは、各角部が面取りされた形状に形成されている。エンド部材Ｅは、上部連結杆２１０の鋭利な角部が利用者の身体や他の物体に接触することを防止するための部材である。エンド部材Ｅは、上部連結杆２１０の軸線方向に沿って外側に行くほど下端から上端の幅が狭くなるテーパー形状に形成されている。
【００２５】
図４に示されるように、上部連結杆２１０には、頂板２１１と底板２１２との同じ位置に複数のビス穴２１１Ａ，２１２Ａが軸線に沿って形成されている。底板２１２のビス穴２１２Ａは、例えば、頂板２１１のビス穴２１１Ａよりも大きい径で形成されている。頂板２１１のビス穴２１１Ａは、ビスのビス部の外径よりも若干大きく、ビスのビス頭の外径よりも小さい径で形成されている。底板２１２のビス穴２１２Ｂは、ビスのビス頭の外径よりも大きい径で形成されている。一対の上部連結杆２１０は、底板２１２側から挿入されたビスを頂板２１１の下面側からビス穴２１１Ａに挿入する。天板２の下面側において、ビス穴２１１Ａに対応する位置に複数の雌ビスのビス穴２Ａが設けられている。
【００２６】
天板２の下面側に形成された複数のビス穴に複数のビスが螺入されて、それぞれのビス穴２Ａにおいて締め込まれ、頂板２１１と天板２とがビスで共締めされる。これにより、天板２と上部連結杆２１０とが締結される。一対の上部連結杆２１０は、上部連結杆２１０の軸線（支持構造体２００の長手方向）に水平面で直交する方向に沿って複数の上部連結体２５０からなる一対の脚支持枠Ｂにより連結されている。これにより、上部連結体２５０は、一対の上部連結杆２１０を短手方向に架設している。
【００２７】
脚支持枠Ｂは、脚体３００を支持するための矩形の枠体である。脚支持枠Ｂは、例えば、一対の上部連結体２５０と、一対の上部連結体２５０のそれぞれの両端を連結する一対の連結板２６０と、一対の昇降脚３０１を支持するための一対の脚支持部材２７０とを備える。即ち、本実施形態では、上部連結体２５０は、支持構造体２００において左右に一対ずつ計４本設けられている。複数の上部連結体２５０は、上部連結杆２１０の軸線方向に沿って相互に離間して配列されている。上部連結体２５０は、例えば、一対の上部連結杆２１０の長手方向の両側において２本で一つの脚支持枠Ｂを形成している。
【００２８】
上部連結体２５０は、例えば、断面が矩形に形成された中空の角パイプである。上部連結体２５０は、矩形の断面の長辺が鉛直方向に沿うように配置される。上部連結体２５０は、一対の上部連結杆２１０の直交方向に配置されている。一対の上部連結体２５０は、支持構造体２００の長手方向に離間して平行に配置されている。一対の上部連結体２５０の内側の側板２５１には、後述の収容部４００を固定するためのビス穴２５１Ａが設けられている。
【００２９】
一対の上部連結体２５０の両端は、一対の上部連結体２５０の端部同士を連結する連結板２６０により連結されている。連結板２６０は、矩形の板状に形成されている。連結板２６０は、例えば、アーク溶接やスポット溶接等を用いて上部連結体２５０に連結される。連結板２６０の上端には矩形の切欠き部２６１が形成されている。対向する連結板２６０の間には、一対の脚支持部材２７０が配置される。
【００３０】
脚支持部材２７０は、下面が開口した形状に形成されている。脚支持部材２７０は、連結板２６０に隣接して一対の上部連結体２５０を架設している。一対の脚支持部材２７０は、例えば、同じ部材が使用される。脚支持部材２７０は、例えば、ビス止めやスポット溶接等により上部連結体２５０に固定されている。脚支持部材２７０は、矩形の頂板２７１と、頂板２７１に垂下して設けられた一対の側板２７２とを備える。脚支持部材２７０は、例えば、金属板が折り曲げられて頂板２７１、一対の側板２７２が形成される。
【００３１】
頂板２７１は、天板２の下面に当接する。頂板２７１には、一対のビス穴２７１Ａが設けられている。天板２の下面側において、ビス穴２７１Ａに対応する位置に複数の雌ビスのビス穴２Ａが設けられている。頂板２７１は、一対のビス穴２７１Ａに挿入されたビスやボルト等により天板２の下面に締結される。
【００３２】
頂板２７１は、長手が上部連結杆２１０の軸線方向に沿うように配置される。頂板２７１の前後方向の両側面には、一対の矩形の側板２７２が設けられている。一対の側板２７２には、一対のビス穴２７２Ａが設けられている。連結板２６０に隣接する側板２７２の一対のビス穴２７２Ａは、連結板２６０の切欠き部２６１により外部に露出している。側板２７２の左右方向の両端の上部には、一対の矩形の突出部２７２Ｂが形成されている。突出部２７２Ｂの下端は、上部連結体２５０の上面に載置される。
【００３３】
突出部２７２Ｂが形成されていることにより、脚支持部材２７０は、上部連結体２５０の上に載置されると共に、位置決めされる。一対の突出部２７２Ｂのうち、他の脚支持枠Ｂと対向する側の突出部２７２Ｂの上端には、後述のコントローラＣに接続される配線を挿通する切欠き部２７２Ｃが形成されている。脚支持部材２７０は、上記構成により、支持構造体２００の長手方向から見て断面が逆Ｕ字形で下面に開口Ｑが形成されている。一対の脚支持枠Ｂは、一対の上部連結杆２１０の間において、一対の上部連結杆２１０の長手方向の両側に配置される。
【００３４】
脚支持枠Ｂにおいて、連結板２６０の両端に形成されたビス穴２６０Ａに脚支持枠Ｂの内側からビスが挿入され、上部連結杆２１０の側板２１３において対応する位置に形成された雌ビス穴にビスが螺入されることにより、上部連結杆２１０と脚支持枠Ｂが連結される。即ち、上部連結体２５０は、連結板２６０を介して上部連結杆２１０に連結される。
【００３５】
ここで、連結板２６０の代わりに上部連結体２５０の両端にフランジを設けて上部連結体２５０と上部連結杆２１０とを直接連結してもよい。また、溶接等により上部連結体２５０と上部連結杆２１０とを直接連結してもよい。このような構成により、一対の上部連結杆２１０両側には、２つの脚支持枠Ｂが連結されて支持構造体２００が形成される。支持構造体２００は、脚支持部材２７０に設けられたビス穴２７１Ａや、上部連結杆２１０に設けられたビス穴２１１Ａに挿入されるビスやボルトにより天板２の下面側に固定される。
【００３６】
脚支持枠Ｂの一対の脚支持部材２７０には、伸縮自在な一対の昇降脚３０１のそれぞれが固定される。昇降脚３０１は、頂部に設けられた脚固定部材２９０を介して固定される。一対の昇降脚３０１は、例えば、同じ装置が用いられる。これにより、一対の昇降脚３０１は、脚固定部材２９０を介して支持構造体２００に固定される。そして、一対の昇降脚３０１は、支持構造体２００において、支持構造体２００の短手方向に離間して配置される。
【００３７】
脚固定部材２９０は、昇降脚３０１の伸縮の駆動源となるモータや減速機等を備える駆動部（不図示）が内蔵された箱体である。昇降脚３０１の昇降機構は、既知の技術を用いることができる。駆動部は、一対の脚固定部材２９０のうち、少なくとも一方に設けられている。脚固定部材２９０は、上方が脚支持部材２７０の開口Ｑに挿入されて脚支持部材２７０に固定され、下方に昇降脚３０１の上部が固定されている。
【００３８】
脚固定部材２９０は、例えば、頂部に配置される頂板２９１が設けられている。頂板２９１は、矩形に形成された板状体である。頂板２９１は、長辺が支持構造体２００の長手方向に沿うように配置される。頂板２９１の一対の長辺にはそれぞれ、一対の側板２９２が垂下して設けられている。側板２９２は、矩形の板状体により形成されている。側板２９２は、頂板２９１から鉛直方向に垂下した矩形の鉛直面２９２Ｖと、途中で折り曲げられて断面がＶ字形状になるようにテーパー面２９２Ｔとが形成されている。
【００３９】
即ち、一対の側板２９２は、下方に行くほど下辺が互いに近位するよう形成されている。一対の鉛直面２９２Ｖの外側同士の幅は、脚支持部材２７０の一対の側板２７２の内側同士の幅より若干狭くなるように位置決めされている。一対の鉛直面２９２Ｖには、脚支持部材２７０の一対のビス穴２７２Ａに対応する位置に一対のビス穴２９２Ａが設けられている。ビス穴２９２Ａは、雌ビスの溝が形成されていてもよいし、鉛直面２９２Ｖの内側にナットが溶接されていてもよい。
【００４０】
頂板２９１の一対の短辺には、それぞれ一対の側板２９３Ａ，２９３Ｂが垂下して設けられている。側板２９３Ａは、支持構造体２００の左右方向における外側に配置される。側板２９３Ｂには、駆動部の配線（不図示）を挿通する切欠き部（不図示）が設けられている。側板２９３Ａ，２９３Ｂは、側板２９２のテーパー形状に合わせて上方に矩形の板状体と、下方に下底が上底に比して短い台形の板状体とが組み合わせられた形状に形成されている。
【００４１】
一対の側板２９２と、一対の側板２９３Ａ，２９３Ｂの下辺により形成された矩形の開口を塞ぐように底板２９４が設けられている。底板２９４の下面には、昇降脚３０１の頂部が固定される。昇降脚３０１は、底板２９４において、外側の側板２９３Ａ側にオフセットして固定されている。
【００４２】
このような構成により形成された箱形の脚固定部材２９０は、脚支持枠Ｂにおける脚支持部材２７０の下面側から開口Ｑに挿入されて脚支持部材２７０に固定される。この際、脚固定部材２９０の頂板２９１の上面を脚支持部材２７０の頂板２９１の下面に当接させるようにすると、脚固定部材２９０は、一対の側板２７２に案内されて脚支持部材２７０の開口Ｑに嵌る。
【００４３】
そして、脚固定部材２９０の一対の側板２９２のビス穴２９２Ａと脚支持部材２７０の一対の側板２７２のビス穴２７２Ａとの位置が重なるように位置合わせが行われる。そして、ビス穴２９２Ａ，２７２Ａの位置合わせが行われた後、一対の側板２９２と一対の側板２７２とはビスで共締めされる。これにより、脚固定部材２９０は、計４箇所をビス止めされ脚支持部材２７０に確実に固定される。この状態で、脚固定部材２９０の側板２９３Ｂの切欠き部から外側に出された駆動部の配線は、側板２７２の切欠き部２７２Ｃを通じて後述する収容部４００のコントローラＣに接続される。
【００４４】
一対の脚支持部材２７０の間は離間しているので、この間には、空間Ｓが形成されている。空間Ｓには、一対の昇降脚３０１の伸縮を制御するためのコントローラＣを収容するための収容部４００が設けられている。収容部４００は、例えば、コントローラＣが載置される底板４０１と底板４０１の両辺から起立した側板４０２が設けられている。底板４０１は、例えば、矩形の板状に形成されている。側板４０２は、例えば、矩形の板状に形成されている。一対の側板４０２の外側同士の幅は、脚支持枠Ｂの一対の上部連結体２５０の内側同士の幅よりも若干小さくなるように形成されている。
【００４５】
側板４０２には、脚支持枠Ｂの一対の上部連結体２５０の内側の側板に設けられたビス穴２５０Ａに途中まで螺入されたビスに引っ掛けて収容部４００を固定させるための一対の切欠き部４０３が設けられている。切欠き部４０３は、脚支持枠Ｂの下側からコントローラＣが載置された収容部４００が取り付け及び取り外しができるようにフック状に形成されている。このような構成により、脚支持枠Ｂの一対の上部連結体２５０には、収容部４００が設けられている。
【００４６】
切欠き部４０３は、例えば、側板４０２の上辺から鉛直方向下向きの溝が形成された第１鉛直部４０３Ａと、第１鉛直部４０３Ａに水平方向に接続する溝が形成された水平部４０３Ｂと、水平部４０３Ｂから鉛直方向上方に側板４０２の上辺の手前まで形成された第２鉛直部４０３Ｃとを備える。
【００４７】
このような構成により、切欠き部４０３がビス穴２５０Ａに途中まで螺入されたビスを案内することにより、コントローラＣが載置された収容部４００は、空間Ｓの下側から上側に向かって挿入された後、上部連結体２５０の軸線方向のいずれかに沿ってスライドされ、更に収容部４００を自然落下された際に脚支持枠Ｂに固定される。
【００４８】
コントローラＣは、左右の脚体３００にそれぞれ同じものが設けられている。左右のコントローラＣは、互いに配線で接続され、左右の一対の昇降脚３０１が全て連動して昇降するようにそれぞれの駆動部を制御するように構成されている。
左右のコントローラＣを接続する配線は、例えば、上部連結杆２１０の内側の側面に沿って敷設される。上部連結杆２１０の内側の側面において、配線用のガイド部材（不図示）が設けられていてもよい。また、配線は、上部連結杆２１０の内部に通線してもよい。
【００４９】
コントローラＣは、操作部３（図２参照）により受け付けられた利用者の操作により駆動部を制御する。コントローラＣは、左右のいずれか一方に一つ設けられて、一つのコントローラＣにより左右の一対の昇降脚３０１が全て制御される構成であってもよい。
【００５０】
図５に示されるように、各昇降脚３０１は、床面に支持されるベース脚体３０５と、ベース脚体３０５に固定された下部脚部３０２と、下部脚部３０２内から上下方向に昇降可能に収容された上部脚部３０３と、を有している。
【００５１】
ベース脚体３０５は、床面に載置される一対の端部ベース脚３０７（延出脚）と、一対の端部ベース脚３０７同士を連結する中間ベース脚３０９（連結脚）とを備える。
中間ベース脚３０９の上面側において、両端には、一対の端部ベース脚３０７の基端の下面側が連結される（図２参照）。一対の端部ベース脚３０７は、平面視して中間ベース脚３０９に対して回転方向が調整自在に連結されている。
【００５２】
中間ベース脚３０９の下面側において、両端には、第１アジャスタ（第一設置部材）が螺入される。第１アジャスタ３０８は、円盤状の台座上にネジ部を備え、中間ベース脚３０９の下面からの突出量が調整自在になるように形成されている。
【００５３】
端部ベース脚３０７の下面側において、先端に第２アジャスタ３１０（第二設置部材）が螺入されている。第２アジャスタ３１０は、円盤状の台座上にネジ部を備え、端部ベース脚３０７の下面からの突出量が調整自在になるように形成されている。第１アジャスタ３０８及び第２アジャスタ３１０により、脚体３００の床面に対する高さを微調整することができる。
【００５４】
一対の端部ベース脚３０７の上面側において、それぞれの基端から鉛直上方に一対の下部脚部３０２が立設されている。下部脚部３０２は、例えば、円筒状に形成されている。下部脚部３０２の内部空間には、下部脚部３０２の内径よりも若干小さい外形の円筒状に形成された上部脚部３０３が挿入されている。上部脚部３０３の内部には、上部脚部３０３を下部脚部３０２に対して伸縮させるための昇降機構（不図示）が設けられている。
【００５５】
昇降機構は、脚固定部材２９０に設けられた駆動部により駆動される。昇降機構は、例えば、ねじ軸、ナット、ボール等を備えるボールねじ機構である。ボールねじ機構は、駆動部により回転されたネジ軸にボールを介して螺入されたナットがネジ軸の軸線方向に沿って摺動し回転運動を直線運動に代える機構である。昇降機構は、ボールねじ機構に限らず上部脚部３０３を下部脚部３０２に対して伸縮させるものであればどのようなものを用いてもよい。
【００５６】
下部脚部３０２及び上部脚部３０３は、円筒状に限らず断面が矩形の筒状に形成されていてもよく、水平断面形状は任意の筒状でよい。下部脚部３０２に対して上部脚部３０３が駆動部に駆動されてそれぞれ上下方向に伸縮することで昇降脚の上下方向長さを調整することができる。一対の昇降脚３０１は、下部がベース脚体３０５により連結され、上部が脚支持枠Ｂに連結されているため、連動して昇降する。
【００５７】
ここで、一対の昇降脚３０１の駆動部は、昇降脚３０１にそれぞれ設けられていてもよいし、一対の昇降脚３０１は上述のように連結されているため、一つの駆動部で一対の昇降脚３０１を駆動するものであってもよい。上述のように、左右の一対の脚体３００は、コントローラＣにより連動して昇降するため、天板２は、床面に対して水平に昇降する。
【００５８】
上述したように天板昇降式什器１によれば、簡略化された構造により天板を昇降する機構が実現されると共に、部材を共通化する設計がなされていることによって製造コストを大幅に低下させることができる。また、天板昇降式什器１によれば、構造部材の間に生じた空間や、構造部材内部に昇降に関する装置を配置しているため、美観性を向上させることができる。
【００５９】
即ち、天板昇降式什器によれば、天板を枠状の支持枠体で支持して必要な強度が確保されると共に、支持枠体において、横杆が梯子状に複数の連結部材で連結されているので、複数の連結部材の間に生じた空間内にコントローラを収納する収納部を設けることができ、スペースを有効利用すると共に、美観性を向上することができる。
【００６０】
［変形例］
上述した天板昇降式什器１は、一対の脚体３００が天板２の左右に設けられている構成を例示したが、これに限らず、脚体３００は、天板２の長手方向に沿って複数個もうけられていてもよい。例えば、天板２を２枚用いる場合に、天板２の継ぎ目部分を支持する脚体３００が一対の脚体３００の間に更に設けられていてもよい。
【００６１】
この場合、中央部の脚体３００にも、一対の脚体３００と同様に脚支持枠Ｂ、脚支持部材２７０、コントローラＣが設けられていてもよい。そしてコントローラＣは、一対の脚体３００のコントローラＣと連動して制御され、３個の脚体３００は、連動して昇降するように構成されていてもよい。また、同様に脚体３００は、３個以上設けられていてもよい。
【００６２】
その他、本発明の趣旨に逸脱しない範囲で、前記実施形態における構成要素を周知の構成要素に置き換えることは適宜可能であり、また、上述した実施形態を適宜組み合わせ、または置換して構成してもよい。
【符号の説明】
【００６３】
１…天板昇降式什器、２…天板、３…操作部、２００…支持構造体、２１０…上部連結杆、２１１…頂板、２１２…底板、２１３…側板、２５０…上部連結体、２５１…側板、２６０…連結板、２６１…切欠き部、２７０…脚支持部材、２７１…頂板、２７２…側板、２７２Ｂ…突出部、２７２Ｃ…切欠き部、２９０…脚固定部材、２９１…頂板、２９２…側板、２９２Ｔ…テーパー面、２９２Ｖ…鉛直面、２９３Ａ…側板、２９３Ｂ…側板、２９４…底板、３００…脚体、３０１…昇降脚、３０２…下部脚部、３０３…上部脚部、３０５…ベース脚体、３０７…端部ベース脚、３０８…第１アジャスタ、３０９…中間ベース脚、３１０…第２アジャスタ、４００…収容部、４０１…底板、４０２…側板、４０３…切欠き部、Ｂ…脚支持枠、Ｃ…コントローラ、Ｅ…エンド部材
【図１】
2020069346.tif 000003
【図２】
2020069346.tif 000004
【図３】
2020069346.tif 000005
【図４】
2020069346.tif 000006
【図５】
2020069346.tif 000007
【図６】
2020069346.tif 000008